(57)【要約】【課題】照明器具において、空間を、閉塞感なく広がり感のある空間を実現でき、その存在によって周囲に陰を作らないようにする。【解決手段】照明器具１は、透明なＥＬ素子２と、このＥＬ素子２に給電する配線１２を有した透明な器具本体３と、を備える。この構成によれば、ＥＬ素子２及び器具本体３が透明であるので、空間を、閉塞感なく広がり感のある空間を実現でき、その存在によって周囲に陰を作らないようにすることができる。【選択図】図１
2012015078.tif 000002
【特許請求の範囲】
【請求項１】
透明なＥＬ素子と、このＥＬ素子に給電する配線を有した透明な器具本体と、を備えた
ことを特徴とする照明器具。
【請求項２】
前記有機ＥＬが複数あって、それらを個別に点灯制御する制御部を備えることを特徴と
する請求項１に記載の照明器具。
【請求項３】
前記配線が透明であることを特徴とする請求項１又は請求項２に記載の照明器具。
【発明の詳細な説明】
【技術分野】
【０００１】
本発明は、ＥＬ素子を用いた照明器具に関する。
【背景技術】
【０００２】
本発明は、住宅等の建造物の壁面や天井を用いた室内照明システムに関する。
【０００３】
エレクトロルミネッセンス（ＥＬ）素子は、発光層を陽極及び陰極で挟持させた発光部
が透明基板上に形成されたものであり、電極間に電圧印加されたとき、発光層にキャリア
として注入された電子及びホールの再結合により生成された励起子によって発光する。
【０００４】
ＥＬ素子は、発光層の蛍光物質に有機物を用いた有機ＥＬ素子と、無機物を用いた無機
ＥＬ素子に大別される。特に、有機ＥＬ素子は、低電圧で高輝度の発光が可能であり、蛍
光物質の種類によって様々な発光色が得られ、また、平面発光体としての製造が容易であ
るという特性がある。この特性を活かして、有機ＥＬ素子を照明器具の光源として採用す
ることが提案されている（例えば、特許文献１参照）。
【０００５】
また、有機ＥＬ素子は、様々な形状への加工も容易であることから、有機ＥＬ素子から
なる発光体を３次元形状とすることにより、装飾性を高めた照明器具が知られている（例
えば、特許文献２参照）。
【０００６】
【特許文献１】特開２００９−１７０２４９号公報
【特許文献２】特開２００９−１４０９８７号公報
【発明の開示】
【発明が解決しようとする課題】
【０００７】
しかしながら、一般的に、照明器具は、夜間等に暗い室内等を明るくするために点灯さ
れ、昼間等において周囲が十分に明るいときには消灯される。ところが、照明器具が消灯
されているとき、上記特許文献１及び特許文献２に記載されたような照明器具が、例えば
、天井から吊り下げられていると、その存在感が大きく、室内空間に閉塞感を与えること
がある。また、周囲が明るい状態では、照明器具自体が日光等の光を遮って陰を作り、む
しろ周囲の空間を暗くする存在となりえる。
【０００８】
本発明は、上記課題を解決するものであって、閉塞感なく広がり感のある空間を実現で
き、その存在によって周囲に陰を作らない照明器具を提供することを目的とする。
【課題を解決するための手段】
【０００９】
上記課題を解決するため、本発明は、照明器具において、透明なＥＬ素子と、このＥＬ
素子に給電する配線を有した透明な器具本体と、を備えたことを特徴とする。
【００１０】
また、上記照明器具において、前記有機ＥＬが複数あって、前記制御部はそれらを個別
に点灯制御する制御部を備えることが好ましい。
【００１１】
また、上記照明器具において、前記配線が透明であることが好ましい。
【発明の効果】
【００１２】
本発明の照明器具によれば、ＥＬ素子及び器具本体が透明であるので、閉塞感なく広が
り感のある空間を実現でき、その存在によって周囲に陰を作らないようにすることができ
る。
【図面の簡単な説明】
【００１３】
【図１】本発明の第１の実施形態に係る照明器具を農業用ハウスに用いたときのハウス内において、ＥＬ素子を全消灯させている状態を示す図。
【図２】同照明器具の一部分解斜視図。
【図３】同照明器具に用いられるＥＬ素子が、複数のＥＬ素子（発光セル）を格子状に配置されて構成される例を示す斜視図。
【図４】同照明器具に用いられるＥＬ素子の概略構成を示す側断面図。
【図５】同ハウス内において、昼間にＥＬ素子を全消灯させている状態を示す図。
【図６】同ハウス内において、ＥＬ素子を一部点灯させている状態を示す図。
【図７】同ハウス内において、夜間にＥＬ素子を全消灯させている状態を示す図。
【図８】同実施形態の変形例に係る照明器具を、店舗に用いたときの店内空間の例を示す図。
【発明を実施するための形態】
【００１４】
本発明の第１の実施形態に係る照明器具について、図１乃至図７を参照して説明する。
以下、本実施形態の照明器具１を農業用ハウスＨに用いた例に基づいて説明する。本例で
は、複数の照明器具１が、ハウスＨ内の畝Ｕに沿って複数列に亘って、吊り下げ具３０に
よってハウスＨの天井から吊り下げ固定されているものとする。照明器具１は、図１及び
図２に示すように、透明なＥＬ素子２と、このＥＬ素子２に給電する配線１２を有した透
明な器具本体３と、ＥＬ素子２を点灯制御する制御部４と、を備えている。
【００１５】
ハウスＨは、連続的に配置された三角形状のフレームＦが複数の支柱Ｔによって支持さ
れ、フレームＦ間に透明板Ｂが取り付けられた構造となっている。フレームＦ、支柱Ｔ及
び吊り下げ具３０には、給電線及び信号線の双方を含む配線５（図中、破線で示す）が設
けられており、この配線５が各照明器具１の一端部に設けられた制御部４の受信部と電気
的に接続されている。また、上述の配線５は、制御装置６に接続される。制御装置６は、
給電部（不図示）に接続され、所定電力を照明器具１の制御部４に供給すると共に、それ
らの点灯制御信号を出力する。なお、図１では、制御装置６を、設置型の集中管理システ
ムとして示している。
【００１６】
制御部４は、照明器具１のＥＬ素子２を点灯駆動させる駆動回路や、ＥＬ素子２を所定
の点灯パターンに基づいて点灯させるための出力値を決定し、それを駆動回路に実行させ
る演算部等を備える。
【００１７】
制御装置６は、ユーザの操作によるＥＬ素子２の点灯制御内容を入力する操作部や、複
数の照明器具１毎の各ＥＬ素子２に個別のアドレスを割り宛て、そのアドレスを記憶する
と共に、夫々のＥＬ素子２の点灯パターン等を記憶する記憶部や、記憶部に記憶された点
灯パターンに基づいて所定のＥＬ素子を点灯させる制御信号を出力する出力部等を備える
。なお、制御装置６には、インターネットに接続されたパソコンや携帯電話といった情報
処理端末や、ハウスＨ内外に設置された照度センサ（不図示）等と接続可能な情報出力手
段が設けられてもよい。
【００１８】
照明器具１は、格子状に配置された複数個のＥＬ素子２が、対向する２枚の透光板１０
，１１に挟持されると共に、器具本体３によってこれらが保持された構成となっている。
なお、図例では、一方の透光板１０の一部を切り欠いて表現している。また、各ＥＬ素子
２が個別に点灯制御されるように、ＩＴＯ（酸化インジウムスズ：インジウムチンオキサ
イド）等の配線１２によって、直接又は間接的に制御部４の駆動回路に接続されている。
各ＥＬ素子２間の間隔は、絶縁性を確保できる範囲において、なるべく狭く形成されるこ
とが望ましい。なお、この間隔に、例えば、光拡散材を含有した絶縁性樹脂膜が、透明性
を損なわない程度に設けられてもよい。
【００１９】
器具本体３は、その内周が透光板１０，１１の外周と略同じ大きさに形成された１組の
枠体３ａ，３ｂと、制御部４と配線５とを接続するための配線構造（不図示）等を備える
。枠体３ａ，３ｂは、アクリル樹脂やポリカーボネートといった透明な樹脂材料で構成さ
れている。また、上記配線構造も透明性を損ない難い材料によって構成される。なお、吊
り下げ具３０も透明な材料から構成されており、吊り下げ具３０に設けられる配線５も透
明性を損ない難い材料であることが望ましい。
【００２０】
ＥＬ素子２は、５〜６００ｍｍ角、好ましくは５０〜１００ｍｍの略正方形形状の平面
発光体である。一つのＥＬ素子２が、単体の発光パネルを構成するものであってもよいし
、例えば、図３に示すように、１０ｍｍ角のＥＬ素子２ｃ（発光セル）を格子状に１００
個設けることによって一つの発光パネルを構成するものであってもよい。後者の場合、セ
ル単位で点灯制御されるように配線のパターンニングが施されることが望ましい。また、
その場合の駆動方式は、アクティブ型、パッシブ型のいずれであってもよい。
【００２１】
また、ＥＬ素子２は、図４に示すように、透光性を有する基板２２上に、発光部２３を
形成し、その外側を封止材２４で被覆したものである。なお、ここでは、ＥＬ素子２が単
体の発光パネルとして構成されている例を示すが、上述した図３のような複数のＥＬ素子
２ｃにおいても、発光部のサイズや配線のパターンニング等の相違点を除き、基本的な構
成は同じである。発光部２３は、透明導電膜から成る陽極２３ａ、発光機能を有する発光
層２３ｂ、透光性を有する陰極２３ｃを、順に基板２２上に積層形成したものである。封
止材２４は、透明な材料から構成され、各電極の一部が露出するように被覆され、これら
電極の露出部は、直接又はリード線等を介して電極端子（不図示）に電気的に接続される
。
【００２２】
基板２２は、ソーダライムガラスや無アルカリガラス等の透光性ガラスや、透光性樹脂
材料等から成り、矩形板状に形成される。なお、上述の透光板１１（図２参照）上に発光
部２３等を形成してもよく、この場合、透光板１１が実質的な基板２２ということになる
。
【００２３】
陽極２３ａは、発光層２３ｂにホールを注入するための電極であり、仕事関数の大きい
金属、合金、導電性化合物又はこれらの混合物から成る電極材料が用いられ、好ましくは
、仕事関数が４ｅＶ以上のものが用いられる。特に、ＩＴＯ、ＳｎＯ２（酸化スズ）、Ｚ
ｎＯ（酸化亜鉛）等の透光性の導電材料が好ましい。陽極２３ａは、これらの電極材料を
、基板２２の表面に、例えば、真空蒸着法やスパッタリング法等の方法により成膜及びパ
ターニングすることによって形成される。
【００２４】
発光層２３ｂは、所望の白色光を発光させ得る有機蛍光材料が用いられ、例えば、アン
トラセン、ナフタレン、ピレン、テトラセン、コロネン、ペリレン、フタロペリレン、ナ
フタロペリレン、ジフェニルブタジエン、テトラフェニルブタジエン、クマリン、オキサ
ジアゾール、ビスベンゾキサゾリン、ビススチリル、シクロペンタジエン、キノリン金属
錯体、トリス（８−ヒドロキシキノリナート）アルミニウム錯体、トリス（４−メチル−
８−キノリナート）アルミニウム錯体、トリス（５−フェニル−８−キノリナート）アル
ミニウム錯体、アミノキノリン金属錯体、ベンゾキノリン金属錯体、トリ−（ｐ−ターフ
ェニル−４−イル）アミン、１−アリール−２，５−ジ（２−チエニル）ピロール誘導体
、ピラン、キナクリドン、ルブレン、ジスチルベンゼン誘導体、ジスチルアリーレン誘導
体、及びこれらの発光性化合物から成る基を分子構造の一部に有する化合物、高分子材料
、各種蛍光色素の混合材料等が用いられる。なお、図３に示したような複数のＥＬ素子２
ｃによって発光パネルが構成される場合、各ＥＬ素子２ｃがＲＧＢの異なる発光色となる
ように、適宜に蛍光体が選択されることが望ましい。
【００２５】
発光層２３ｂは、陽極２３ａの表面に上述した化合物を、例えば、真空蒸着法により成
膜及びパターニングすることによって形成される。なお、発光層２３ｂは、複数の異なる
材料が積層されたものであってもよく、これら複数層の間に電位を調整するためのバッフ
ァ層を介在させてもよい。
【００２６】
陰極２３ｃは、発光層２３ｂに電子を注入するための電極であり、陽極２３ａと同様に
、ＩＴＯ、ＳｎＯ２、ＺｎＯ等の透光性の導電材料によって形成される。また、陰極２３
ｃも陽極２３ａと同様の方法により形成される。なお、陽極２３ａ及び発光層２３ｂの間
には、陽極２３ａから発光層２３ｂへのホール注入効果を促進するホール注入・輸送層（
不図示）が設けられてもよい。また、発光層２３ｂ及び陰極２３ｃの間には、好ましくは
、陰極２３ｃから発光層２３ｂへの電子注入効果を促進する電子注入・輸送層（図示せず
）が設けられる。
【００２７】
このように構成されたＥＬ素子２においては、電極端子を介して所定の電力が供給され
ることにより、発光層２３ｂが発光する。発光した光は、陽極２３ａ及び陰極２３ｃを透
過してＥＬ素子２外へ取り出され、照明器具１の両面から出射する。なお、ＥＬ素子２の
発光面には、基板２２を傷や汚れ等から保護するため、アクリル樹脂等から成る保護層や
、基板２２からの光取り出し効率を高めるための拡散層等が、透明性を損じない程度に設
けられてもよい（不図示）。
【００２８】
次に、照明器具１の作動例を説明する。例えば、制御装置６（図１参照）が、各照明器
具１の制御部４（図２参照）に対して、全てのＥＬ素子２を点灯させるための点灯制御信
号を送信する。すると、各制御部４は、格子状に配置された各ＥＬ素子２を全て点灯させ
る。こうして、上述の図１に示したように、ハウスＨ内に設けられた全ての照明器具１の
ＥＬ素子２が点灯する。
【００２９】
従来から、植物の温室栽培においては、日照量の少ない冬季や天候不順時等に、照明器
具を擬似太陽として用いることにより、日照量を補って植物の育成を促進させ、年間を通
じて安定して農作物を生産している。そこで、夜間や雨天時等に、温室の天井面に配置さ
れた照明器具１のＥＬ素子２を点灯させることにより、照明器具１を擬似太陽として機能
させ、植物に対する日照量を補足することができる。特に、本実施形態においては、照明
器具１を吊り下げ式としているので、植物に近い位置に照明器具１を配置でき、光の照射
効率が高まり、植物の育成を促進させると共に、無駄な電力消費を抑制することができる
。
【００３０】
次に、晴天時の昼間のように、自然光を採り入れられるときは、図５に示すように、照
明器具１のＥＬ素子２を消灯させる。こうすれば、ＥＬ素子２は透明であるため、自然光
の入射を遮ることなく、温室内に多くの光を採り入れることができる。従来の照明器具に
おいては、照明器具が温室内に吊り下げられていると、照明器具の器具本体や反射鏡等よ
って陰ができてしまい、植物に照射される日照量を低下させることがあった。これに対し
て、本実施形態によれば、ＥＬ素子２及び器具本体３が透明であるので、吊り下げ式の照
明器具１が植物に近い位置に配置された場合においても、植物に対する日照量を低下せる
ことがない。また、照明器具１自体の存在感が少ないので、照明器具１が植物から近い場
所に配置されていても、収穫作業等の農作業に従事する人にとって、照明器具１が目障り
になり難い。
【００３１】
また、図６に示すように、各ＥＬ素子２を個別に点灯制御して、一部のＥＬ素子２のみ
を点灯させることにより、ハウスＨ外から自然光を採り入れつつ、ＥＬ素子２による日照
量の補足を行なうようにすることもできる。また、図７に示すように、夜間に照明器具１
を全消灯させたとき、照明器具１が透明であるため、ハウスＨ内の奥方まで一見して見渡
すことができ、防犯上の効果もある。
【００３２】
これらの点灯パターンは、制御装置６の記憶部に記憶されており、また制御装置６の操
作部を操作することにより、居住者は間仕切り１の任意の箇所のＥＬ素子２を点灯又は消
灯させることができる。また、これらの機能の一部を、照明器具１の制御部４に行わせる
ようにしてもよい。
【００３３】
次に、本実施形態に係る照明器具の変形例について、図８を参照して説明する。この変
形例に係る照明器具１は、店舗Ｓ等の室内空間に用いられるものである。照明器具１の大
きさや発光波長等を除き、基本的な構成は、上述の実施形態と同様である（図２も参照）
。この変形例においても、照明器具１は、透明なＥＬ素子２と、このＥＬ素子２に給電す
る配線１２を有した透明な器具本体３とを備えるため、消灯時に、存在感が無く、また、
その存在によって周囲に陰を作らない。そのため、この照明器具１を店舗Ｓ等に室内に用
いれば、照明器具１が室内装飾の邪魔にならず、広がりのある空間を創出することができ
る。
【００３４】
また、例えば、複数の照明器具１を異なる空間に亘って一列に連続的に配置することも
できる。こうすれば、店内に奥行きの感が出て、いっそう広がり感のある空間を創出する
ことができる。また、この変形例においても、各照明器具１のＥＬ素子２を個別に点灯制
御することができる。例えば、店内入口付近に設けられたショーケースＳＣ近傍のＥＬ素
子２を点灯させて、来店者の購買意欲を高め、一方で、店内奥方にあるカウンターテーブ
ルＣＴ近傍のＥＬ素子２を消灯させて、ムードある雰囲気を演出することができる。また
、このとき、照明器具１の格子状に配置されたＥＬ素子２の一部を点灯させて、スポット
ライトのようにカウンターテーブルＣＴ上に光が照らされるようにしてもよい。
【００３５】
なお、本発明は、上述の実施形態に限られることなく種々の変形が可能である。例えば
、上述した本実施形態では、格子状に配置された複数のＥＬ素子２を個別にオンオフ制御
して、照明器具１全体における発光面積を変化させる例を示したが、制御部４が複数のＥ
Ｌ素子２の夫々の調光出力を制御するようにしてもよい。また、赤色、青色、黄色の３色
を発光可能な有機ＥＬ素子２を用い、制御部４が、これらの発光色を組み合わせて点灯制
御することにより、例えば、様々なシチュエーションに室内空間の演色性を変化させるよ
うにしてもよい。
【符号の説明】
【００３６】
１    照明器具
２    ＥＬ素子
３    器具本体
４    制御部
１２    配線
【図１】
2012015078.tif 000003
【図２】
2012015078.tif 000004
【図３】
2012015078.tif 000005
【図４】
2012015078.tif 000006
【図５】
2012015078.tif 000007
【図６】
2012015078.tif 000008
【図７】
2012015078.tif 000009
【図８】
2012015078.tif 000010